(57)【要約】  【課題】ベッドサイドに設置された端末が、院外に接続されているにもかかわらず、入院患者であるクランケの個人情報保護等の諸問題によってクランケが各人自らの病状に即した有効な情報を入手できないなど、十分に活用されていない状態にあった。  【解決手段】クランケが、ベッドサイド端末装置を利用して、第三者がクランケを特定することができない状態の下で、自らの個人情報を保護しつつ、各人自らの病状情報に適合するコンテンツを第三者から取得することが可能なベッドサイド端末コンテンツ配信システムを提供する。  【選択図】  図１
2006202160.tif 000002
【特許請求の範囲】
【請求項１】
入院患者（以下クランケとする）の病状情報であるクランケ情報を管理する院内情報管理装置と、異なる複数の病院の前記院内情報管理装置に対してコンテンツを配信する情報配信装置と、前記院内情報管理装置に配信されたコンテンツの再配信を受けるクランケ用ベッドサイド端末装置と、からなるベッドサイド端末コンテンツ配信システムであって、前記院内情報管理装置は、前記クランケ情報を取得する院内クランケ情報取得部と、クランケに対してユニークに割り当てられるが、それ自体によっては第三者がクランケを特定することができないクランケＩＤを前記情報配信装置から取得する院内クランケＩＤ取得部と、前記クランケ情報を、前記クランケＩＤと関連付けて蓄積管理する院内クランケ情報蓄積管理部と、前記院内クランケ情報蓄積管理部に蓄積されたクランケ情報を、前記クランケＩＤと関連付けて前記情報配信装置に送信する院内クランケ情報送信部と、前記情報配信装置から、前記送信したクランケ情報に応答してクランケＩＤに関連付けたコンテンツを取得する院内コンテンツ取得部と、前記院内クランケＩＤ取得部にて取得したクランケＩＤと、前記クランケ用ベッドサイド端末装置のコンテンツ配信用アドレスとを対応させて秘密に保持する院内アドレス保持部と、前記院内コンテンツ取得部においてコンテンツに関連付けて取得したクランケＩＤと、前記院内アドレス保持部に保持されたコンテンツ配信用アドレスと、に基づき、当該コンテンツを前記クランケ用ベッドサイド端末装置に配信する院内コンテンツ配信部と、からなり、前記情報配信装置は、クランケＩＤを前記院内情報管理装置に配信するクランケＩＤ配信部と、前記院内情報管理装置に配信可能なコンテンツと、そのコンテンツを利用するに適していると考えられるクランケの病状情報である適合病状情報と、を関連付けて取得するコンテンツ取得部と、前記院内情報管理装置からクランケＩＤとクランケ情報とを関連付けて取得するクランケ情報取得部と、コンテンツ取得部にて取得した適合病状情報と、前記クランケ情報取得部にて取得したクランケ情報とを比較する情報比較部と、前記情報比較部での比較結果が、両者が所定の関係にあるとの判断結果である場合には、前記コンテンツ取得部にて取得したコンテンツを、前記クランケＩＤと関連付けて前記クランケ情報を送信した院内情報管理装置に送信するコンテンツ配信部と、からなり、前記クランケ用ベッドサイド端末装置は、前記院内情報管理装置から、前記コンテンツの再配信を受けるコンテンツ受信部を有するベッドサイド端末コンテンツ配信システム。
【請求項２】
前記情報配信装置は、前記クランケＩＤを、乱数に基づいて生成するクランケＩＤ生成部を有し、前記クランケＩＤ配信部は、前記クランケＩＤ生成部にてランダムに生成されたクランケＩＤを前記院内情報管理装置に対して配信可能なランダムクランケＩＤ配信手段を有している請求項１に記載のベッドサイド端末コンテンツ配信システム。
【請求項３】
前記クランケＩＤ生成部は、すでに利用されているクランケＩＤである利用中クランケＩＤを、重複配信防止のために保持する利用中クランケＩＤ保持手段と、前記クランケＩＤに関連付けられたクランケ情報に基づいて、前記利用中クランケＩＤ保持手段から、クランケＩＤを削除するクランケＩＤ削除手段と、を有する請求項２に記載のベッドサイド端末コンテンツ配信システム。
【発明の詳細な説明】
【技術分野】
【０００１】
本発明は、ベッドサイド端末コンテンツ配信システムに関する。
【背景技術】
【０００２】
従来、病院およびその他の医療機関において、院外に接続され、入院患者であるクランケ側からのアクセスが可能な情報提供システムが不在であった。ところが、近年、クランケに対する医療上の利便性やアメニティ性を目的として、各クランケの病床周辺にベッドサイド端末を設置する病院およびその他の医療機関が増加してきた。（特許文献1参照）。当該端末によって、クランケは自らが所望する情報をインターネット等の電気通信回線を介して院外から享受することが可能となってきている。
【特許文献１】特開２０００―２８５１８１
【発明の開示】
【発明が解決しようとする課題】
【０００３】
しかしながら、上記のような端末が設置される場合においても、クランケの個人情報保護の見地や、病院サイドのクランケ情報流出を嫌う体制から、業務上提携している他の医療機関を除けばクランケの病状情報が通信回線を介して院外に流出することはほとんどない。通常クランケは自己の病状に関する最新の情報を病院の担当医師や看護婦等の医療従事者を介して入手する。しかし、日常の業務に忙殺されている医師たちが自分の担当する個々のクランケに対して有用な最新情報を毎時説明することは実際には難しい。また、クランケにとっては有用な情報であっても医師の判断等によってクランケに伝達されない場合もある。さらに、通常コンテンツ提供者が有する有用、かつ最新の情報は一般非公開にしている場合が多く、クランケはたとえベッドサイド端末があってもそれらの情報を入手できない。その上、第三者であるコンテンツ提供者は、クランケの病状情報に適した最新の情報や一般非公開の情報を特定のクランケに選別的に配信したくても、クランケの病状情報が院外に流出しないため、当該コンテンツを配信することは難しい。このように、個人情報保護の壁等の問題により、折角院外に接続されたベッドサイド端末が十分に活用されていないのが現状である。
【課題を解決するための手段】
【０００４】
本発明は、かかる実情に鑑み、病院およびその他の医療機関において、クランケの個人情報を保護し、第三者がクランケを特定することができない状態の下で、各クランケの病状情報に適合するコンテンツを第三者から取得するベッドサイド端末コンテンツ配信システムを提供する。
【発明の効果】
【０００５】
本件発明のいずれか一または二以上の発明に係るベッドサイド端末コンテンツ配信システムにおいて、クランケは、第三者がクランケを特定することができない状態の下で自らの個人情報を保護し、ベッドサイド端末装置を通して、病院の医師や看護婦等の担当医療従事者を介することなく、自己の病状に即した院外からの有用な情報、最新の情報、一般非公開の情報等を第三者であるコンテンツ提供者から入手することが可能となる。また、病院サイドは、クランケの個人情報保護義務を遂行できる上に、クランケを特定する情報の流出も防ぐことができる。さらに、コンテンツ提供者は、クランケの病状情報に適した最新の情報や一般非公開の情報を、特定のクランケにコンテンツとして選別的に配信することが可能となり、効果的な宣伝を行うことができる。また、コンテンツ提供者は、クランケの許可により一般には入手の困難な最新のクランケ情報を入手することも可能となる。
【発明を実施するための最良の形態】
【０００６】
以下に、本発明を実施するための最良の形態を説明する。なお、本発明はこれら実施形態に何ら限定されるものではなく、その要旨を逸脱しない範囲において、種々なる様態で実施しうる。
【０００７】
実施形態１は、主に請求項１等について説明する。実施形態２は、主に請求項２等について説明する。実施形態３は、主に請求項３等について説明する。
【０００８】
<<実施形態１>>
【０００９】
<実施形態１：概要>  実施形態１について説明する。本実施形態は、病院およびその他の医療機関において、クランケの個人情報を保護し、第三者がクランケを特定することができない状態の下で、各クランケの病状情報に適合するコンテンツを第三者から取得するベッドサイド端末コンテンツ配信システムである。
【００１０】
図１は、本実施形態の概念の一例を示すものである。院内情報管理装置は、それ自体によっては第三者がクランケを特定できないクランケ情報と、クランケに対してユニークに割り当てられるがそれ自体によっては第三者がクランケを特定できないクランケＩＤとを関連付けて院外の情報配信装置に送信する。一方、コンテンツ提供者は、コンテンツと、当該コンテンツを利用するに適していると考えられるクランケの病状情報である適合病状情報とを関連付けて前記情報配信装置に登録する。情報配信装置は、前記クランケ情報と、前記適合病状情報とを比較し、当該比較結果が所定の関係にあるとの判断結果である場合には、当該クランケ情報に関連付けられたクランケＩＤと、当該適合病状情報に関連付けられたコンテンツとを関連付けて、当該クランケＩＤを配信した院内情報管理装置に配信する。院内情報管理装置は、当該配信されたクランケＩＤに対応するコンテンツ配信用アドレスに対して、当該クランケＩＤと関連付けられて取得したコンテンツを配信することを特徴とする。
【００１１】
具体的な一例を挙げて説明をする。甲病院にクランケとして山田太郎さんが入院した場合、山田太郎さんには直ちにクランケＩＤとして「２７９６８４４５」が割り当てられる。また、山田太郎さんが使用するＡベッドに設置されたクランケ用ベッドサイド端末装置（Ａベッドサイド端末装置）の使用者が山田太郎さんであることが登録される。この登録によって山田太郎さんは一定期間独占的にＡベッドサイド端末装置を使用することができる。山田太郎さんの「クランケ情報」である「男、４８歳、糖尿病」は、「２７９６８４４５」と関連付けて登録される。クランケＩＤ「２７９６８４４５」から山田太郎さんを特定できるのは、山田太郎さんが入院する甲病院の院内情報管理装置だけである。これら「男、４８歳、糖尿病」と「２７９６８４４５」とを関連付けて院外の情報配信装置に送信する。
【００１２】
情報配信装置は、甲病院の院内情報管理装置だけでなく、乙病院、丙病院等の異なる複数の病院に設置された院内情報管理装置ともインターネット等の通信回線によって結ばれ、各院内情報管理装置から送信されたクランケ情報とクランケＩＤを一元的に管理し、処理している。一方、一のコンテンツ提供者であるα製薬会社は、自社で新たに開発した一般非公開の「糖尿病新薬」の詳細な情報をコンテンツとする場合、そのコンテンツの提供に最も適した病状、つまり「糖尿病」等を適合病状情報として当該コンテンツと関連付けて、インターネット等の通信回線を介して情報配信装置に登録する。情報配信装置は、前記院内情報管理装置から取得した「男、４８歳、糖尿病」というクランケ情報と、コンテンツ提供者達によって登録された様々な適合病状情報との比較照合を行う。その結果、前記α製薬会社によって登録された「糖尿病」という適合病状情報が、クランケ情報の一部と一致したとき、それぞれの情報に関連付けられたクランケＩＤ「２７９６８４４５」とコンテンツ「糖尿病新薬」とを関連付けて、「２７９６８４４５」を送信した甲病院の院内情報管理装置に配信する。
【００１３】
甲病院の院内情報管理装置は、クランケＩＤ「２７９６８４４５」、すなわち山田太郎さんが使用しているＡベッドサイド端末装置専用のコンテンツ配信用アドレス「Ａ＠ｘｘｘ.com」に対して「２７９６８４４５」と関連付けて取得したコンテンツ「糖尿病新薬」の詳細な情報を配信する。これによって山田太郎さんは第三者に自己の情報を特定されることなく、自己の病状に適した一般非公開の情報をＡベッドサイド端末装置から入手することができる。
【００１４】
<実施形態１：構成>  本実施形態での機能ブロック図の一例を図２に示した。図２に示す本実施形態の「ベッドサイド端末コンテンツ配信システム」（０２０１）は、「院内情報管理装置」（０２０３）と、「情報配信装置」（０２０４）と、「クランケ用ベッドサイド端末装置」（０２０１）と、を有する。
【００１５】
図３に示す本実施形態の前記「院内情報管理装置」（０３０１）は、「院内クランケ情報取得部」（０３０２）と、「院内クランケＩＤ取得部」（０３０３）と、「院内クランケ情報蓄積管理部」（０３０４）と、「院内クランケ情報送信部」（０３０５）と、「院内コンテンツ取得部」（０３０６）と、「院内アドレス保持部」（０３０７）と、「院内コンテンツ配信部」（０３０８）と、を有する。
【００１６】
図４に示す本実施形態の前記「情報配信装置」（０４０１）は、「クランケＩＤ配信部」（０４０２）と、「コンテンツ取得部」（０４０３）と、「クランケ情報取得部」（０４０４）と、「情報比較部」（０４０５）と、「コンテンツ配信部」（０４０６）と、を有する。
【００１７】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置等から構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力等により各部の機能が実現される（本明細書の全体を通じて同様である。）。
【００１８】
また、本件発明において前記院内クランケ情報管理装置と、前記クランケ用ベッドサイド端末装置、およびそれ以外の院内の入力端末装置とは、院内ＬＡＮや院内イントラネット等の内部ネットワークによって構成されることが好ましい。さらに、前記院内情報管理装置の院内クランケ情報取得部と前記情報配信装置とは、インターネット等の通信回線によって構成されることが好ましい（本明細書の全体を通じて同様である。）。
【００１９】
図３に示す本実施形態の「院内情報管理装置」（０３０１）は、クランケの病状情報であるクランケ情報を管理する装置である。
【００２０】
例えば、パソコン、サーバー等のように情報を取得し、蓄積し、管理し、処理し、配信または送信することが可能な装置が該当する。当該院内情報管理装置は、各病院内およびその他の医療機関内、またはそれらの関連施設内に設置され、当該病院及び当該その他の医療機関における守秘義務を課せられた専属の職員、あるいはそれらの機関に委託され守秘義務を課せられた特定の管理事業者を管理者として管理されることが好ましい。
【００２１】
「院内クランケ情報取得部」（０３０２）は、前記クランケ情報を取得する。
【００２２】
「クランケ情報」は、それ自体によっては第三者がクランケを特定することができないクランケの病状情報が該当する。例えば、クランケの年齢、性別、病名、症状等の個人情報を含む病状情報であってもよい。クランケ情報における病状情報は、当該クランケの電子カルテから得られる情報であってもよい。また、クランケ情報には第三者がクランケを特定することができない範囲内で当該クランケが使用するクランケ用ベッドサイド端末装置の位置情報を含んでいてもよい。例えば、診療科病棟名等を含んでいてもよい。さらに、クランケは自己のクランケ情報の一部、または全部に対して提供許可ができるようにしてもよい。
【００２３】
クランケの特定は、当事者と当該クランケの属する院内情報管理装置の管理者のみができる。「当事者」は、クランケ情報のクランケ自身と当該クランケの家族と当該クランケの担当医師、看護婦等の医療従事者を言う。
【００２４】
クランケ情報は、当該クランケに割り当てられたクランケＩＤに基づいて当該クランケの当事者によって入力される。クランケ情報は、当事者がクランケ用ベッドサイド端末装置以外の院内の入力端末装置から入力してもよい。
【００２５】
クランケ情報を例えば院内のＬＡＮを介して取得する場合には、この院内クランケ情報取得部には、ＬＡＮボード等を含む。また、クランケ情報を電話回線を介して取得する場合には、クランケ情報取得部は、電話回線から情報を取得できるように構成されている必要がある。院内クランケ情報取得部がどのような外部機構から情報を取得するかは設計的事項であり、外部としては記録媒体のようなものも含まれうる。また、クランケ情報を構成する信号が光信号であるか電気信号であるかは問わない。院内クランケ情報取得部は、クランケ情報をプッシュ型で取得するように構成されていてもよいし、プル型で取得するように構成されていてもよい。プル型の場合には、定期的に最新の情報が外部にないか探索するように構成できる。また、プッシュ型の場合には、外部にてクランケ情報の更新があった場合に、外部からこのクランケ情報取得部に対してクランケ情報が送りつけられるように構成されていればよい。院内クランケ情報取得部にて取得されたクランケ情報は、直ちに院内クランケ情報蓄積管理部に送られるように構成してもよい。
【００２６】
「院内クランケＩＤ取得部」（０３０３）は、クランケＩＤを前記情報配信装置から取得する。「クランケＩＤ」は、クランケに対してユニークに割り当てられるが、それ自体によっては第三者がクランケを特定することができないものが該当する。
【００２７】
クランケＩＤは、コード化されたものであればどのような形態のものであってもよい。例えば、数字やアルファベットの組み合わせであってもよいし、バーコードや２次元コードのように図形化されたものであってもよい。クランケＩＤは、前記情報配信装置のクランケＩＤ配信部から当該院内クランケＩＤ取得部に対して配信されるものであってもよいし、逆に当該院内クランケＩＤ取得部から前記情報配信装置のクランケＩＤ配信部へ積極的に取得しに行ってもよい。
【００２８】
院内クランケＩＤ取得部のハードウエア的な構成としては、代表的なものは記録媒体等からのクランケＩＤを取得する構成である。ただし、これに限定されるものでなく各種の通信回線からクランケＩＤを取得するように構成できる。さらに、院内クランケＩＤ取得部は、キーボードや、その他のマンマシンインターフェイス型の入力装置からクランケＩＤを取得するように構成してもよい。本件明細書においては「取得」とは内部での生成形態も含む概念である。取得されたクランケＩＤは、院内アドレス保持部に対して、クランケを直接的に特定することができる情報と切り離されて渡される。院内クランケＩＤ取得部にて取得されたクランケＩＤは、直ちに院内クランケ情報蓄積管理部に送られるように構成してもよい。
【００２９】
クランケＩＤの使用は、クランケを特定できなくすることが目的である。したがって、異なる複数の院内情報管理装置において独自に生成したクランケＩＤをそれぞれのクランケに割り当てて、当該クランケＩＤを情報配信装置に送信することもできる。しかし、この場合には異なる複数の院内情報管理装置で偶然同一のクランケＩＤが生成され、それが異なるクランケに割り当てられる可能性がある。結果として、それらが情報配信装置に送信されると混乱を生じてしまう危険性がある。また、その生成パターンからクランケＩＤが、どの院内情報管理装置で生成されたものであるかを第三者が特定できてしまう危険性もある。そこで、クランケＩＤの生成や配信等は前記情報配信装置で一元的に行われるようにすることが好ましい。
【００３０】
「院内クランケ情報蓄積管理部」（０３０４）は、前記クランケ情報を、前記クランケＩＤと関連付けて蓄積管理する。
【００３１】
本件明細書においては「蓄積」とは記録媒体等に情報を記憶させる概念であり、「管理」とは情報の追加、変更、削除ができる概念である。通常クランケＩＤは、新たに入院手続きをするクランケに対してユニークに割り当てられる。通常クランケ情報は、当該クランケに対してユニークに割り当てられたクランケＩＤに基づいて前記院内クランケ情報取得部を介して取得され、当該院内クランケ情報蓄積管理部にて当該ユニークに割り当てられたクランケＩＤと関連付けて蓄積管理される。これに加えて院内クランケ情報蓄積管理部は、クランケ名と当該クランケにユニークに割り当てられたクランケＩＤとを関連付けて蓄積管理するように構成してもよい。院内クランケ情報蓄積管理部に蓄積されているクランケ情報は、当事者によって新たに入力される最新の情報によって、常時更新されるように構成してもよい。
【００３２】
具体的な一例を挙げて以下に説明をする。前記院内クランケＩＤ取得部で取得されたクランケＩＤ「２７９６８４４５」をクランケである山田太郎さんに割り当てる。山田太郎さんの当事者は、山田太郎さんのクランケ情報「男、48歳、糖尿病」を山田太郎さんのクランケＩＤ「２７９６８４４５」に基づいて院内クランケ情報取得部に入力する。院内クランケ情報蓄積管理部では「２７９６８４４５」と「男、48歳、糖尿病」とを関連付けて蓄積管理する。このとき、「山田太郎」と「２７９６８４４５」とを関連付けて院内クランケ情報蓄積管理部で蓄積管理してもよい。山田太郎さんの当事者は、山田太郎さんのクランケ情報を例えば、「２７９６８４４５」に基づいて、「男、48歳、糖尿病」から「男、49歳、糖尿病」や、「男、48歳、死亡」、「男、48歳、退院」等のように更新してもよい。
【００３３】
院内クランケ情報蓄積管理部にて関連付けられたクランケＩＤとクランケ情報は、新規で関連付けが行われた場合やクランケ情報が更新された場合は、通常直ちに院内クランケ情報送信部に送られる他、更新等が無い場合であっても、定期的に蓄積している同じ情報を関連付けられたクランケＩＤと共に送るようにしてもよい。
【００３４】
「院内クランケ情報送信部」（０３０５）は、前記クランケ情報蓄積管理部に蓄積されたクランケ情報を、前記クランケＩＤと関連付けて前記情報配信装置に送信する。
【００３５】
クランケＩＤと関連付けられたクランケ情報を例えばインターネットを介して送信する場合には、この院内クランケ情報取得部には、モデム等を含む。クランケＩＤと関連付けられたクランケ情報を構成する信号が光信号であるか電気信号であるかは問わない。
【００３６】
前記院内クランケ情報蓄積管理部から取得したクランケＩＤと関連付けられたクランケ情報は、新規、更新、再送を問わず直ちに情報配信装置に送信されるように構成してもよい。
【００３７】
このように、クランケをＩＤ化し、クランケとクランケＩＤとを関連付ける情報は各医療機関内の院内情報管理装置、若しくは他の手段で院内に留め置くことによって、第三者が介在し得る院外の情報配信装置に流出することはなくなり、クランケの個人情報を完全に保護することが可能となる。
【００３８】
「院内コンテンツ取得部」（０３０６）は、前記情報配信装置から、前記送信したクランケ情報に応答してクランケＩＤと関連付けられたコンテンツを取得する。
【００３９】
当該院内コンテンツ取得部は、必要に応じて取得したコンテンツを削除できるようにしてもよい。例えば、当該取得したコンテンツが、クランケに配信する上で著しく不適切な内容である場合等が該当する。「コンテンツ」は、前記情報配信装置においてコンテンツ提供者から取得された広告や医療情報等が該当する。当該コンテンツは、一般公開されている広告レベルのものから一般非公開のレベルのものまでが該当する。当該コンテンツは、文書、映像、画像等の情報資源自体であってもよいし、情報資源のＵＲＬであってもよい。また、当該クランケＩＤと関連付けられたコンテンツは、前記情報配信装置のコンテンツ配信部から院内コンテンツ取得部に対して積極的に配信されるものであってもよいし、逆に院内コンテンツ取得部から前記情報配信装置のコンテンツ配信部へ積極的に取得しに行くものであってもよい。院内コンテンツ取得部にて取得されたコンテンツは、直ちに院内コンテンツ配信部に配信されるように構成してもよい。
【００４０】
「院内アドレス保持部」（０３０７）は、前記クランケＩＤ取得部にて取得し、クランケに対してユニークに割り当てたクランケＩＤと、前記クランケ用ベッドサイド端末装置のコンテンツ配信用アドレスとを対応させて秘密に保持する。
【００４１】
一のクランケ用ベッドサイド端末装置のコンテンツ配信用アドレスと、クランケＩＤとは、クランケが当該クランケ用ベッドサイド端末装置を独占的に使用している期間、常に対応するようにする。当該対応は、キーボードや、その他のマンマシンインターフェイス型の入力装置から院内アドレス保持部に常時入力されるように構成してもよい。また、クランケＩＤを記憶させたＩＣカード等のようなＩＤカードとベッドサイド端末装置に併設されたカードリーダー等の読み取り装置によってコンテンツ配信用アドレスと、クランケＩＤとが対応するように構成してもよい。
【００４２】
具体的には、ＩＤカードをベッドサイド端末装置に差し込むことで、クランケ用ベッドサイド端末装置にクランケＩＤが読み取られ、ベッドサイド端末装置は、自身を識別するための情報とともに、前記院内情報管理装置の前記院内アドレス保持部に対してこれを送信する。院内アドレス保持部は、クランケ用ベッドサイド端末装置を識別する情報と、そのクランケ用ベッドサイド端末装置に対して割り当てられたコンテンツ配信用アドレスとを関連付けて保持しており、その関連付けに基づいてコンテンツ配信用アドレスを取得する。つまり、最終的には、クランケ用ベッドサイド端末装置の識別情報を介して、クランケＩＤと、コンテンツ配信用アドレスとが院内アドレス保持部において結び付けられ、新たな内容として更新され、保持されることとなる。それによって、病室の急な移動等の理由からクランケがそれまで使用していたクランケ用ベッドサイド端末装置を離れ、新たなクランケ用ベッドサイド端末装置に移るような場合でも、移動に伴い当該クランケＩＤと従来のコンテンツ配信用アドレスとの対応は解除され、新たに使用するクランケ用ベッドサイド端末装置のコンテンツ配信用アドレスと直ちに対応するようにすることができる。
【００４３】
一例を挙げると、クランケ山田太郎さんに対してユニークに割り当てられたクランケＩＤ「２７９６８４４５」と、山田太郎さんが一定期間独占的に使用するクランケ用ベッドサイド端末装置（Ａ端末装置）のコンテンツ配信用アドレス「Ａ@xxx.com」とを対応させて当該院内アドレス保持部で、その情報を秘密に保持するというものである。また、山田太郎さんが、数日後に個室から大部屋に移るような場合には、それまで使用していたＡ端末装置に併設されたカードリーダーから山田太郎さんのクランケＩＤ「２７９６８４４５」を記憶したＩＤカードキーを引き抜くことで「２７９６８４４５」と「Ａ@xxx.com」の対応は解除される。そして、大部屋で山田太郎さんが使用する新たなクランケ用ベッドサイド端末装置（Ｄ端末装置）に併設されたカードリーダーで当該ＩＤカードキーを読み込ませることによって、「２７９６８４４５」とＤ端末装置のコンテンツ配信用アドレス「Ｄ@xxx.com」とが新たに対応し、当該院内アドレス保持部でその新たな情報を保持するというものである。
【００４４】
「院内コンテンツ配信部」（０３０８）は、前記院内コンテンツ取得部においてコンテンツに関連付けて取得したクランケＩＤと、前記院内アドレス保持部に保持されたコンテンツ配信用アドレスと、に基づき、当該コンテンツを前記クランケ用ベッドサイド端末装置に配信する。
【００４５】
院内コンテンツ配信部にて取得されたコンテンツは、それに関連付けられたクランケＩＤに基づいて院内アドレス保持部に保持されたコンテンツ配信用アドレスと対応させられた後、通常直ちに当該コンテンツ配信用アドレスに送られる。
【００４６】
具体的な一例を挙げると、前記院内コンテンツ取得部において前記クランケＩＤ「２７９６８４４５」と関連付けて取得されたコンテンツ「糖尿病新薬」の詳細な情報を、前記院内アドレス保持部で保持された「２７９６８４４５」と対応するコンテンツ配信用アドレス「A@xxx.com」と対応させる。「A@xxx.com」は、山田太郎さんが現在使用しているクランケ用ベッドサイド端末装置のコンテンツ配信用アドレスである。当該コンテンツ配信用アドレス「A@xxx.com」に基づいて当該コンテンツ「糖尿病新薬」の詳細な情報をクランケ用ベッドサイド端末装置に配信することによって、山田太郎さんは個人を特定される事なく、自分の病状に適した有用な情報を院外から得ることができるというものである。
【００４７】
図４に示す本実施形態の「情報配信装置」（０４０１）は、異なる複数の病院の院内情報管理装置に対してコンテンツを配信する装置である。
【００４８】
例えば、パソコン、サーバー等のように情報を取得し、蓄積し、管理し、処理し、配信または送信することが可能な装置が該当する。当該情報配信装置は、当該情報配信装置の内部データに関して守秘義務を課せられた特定の管理事業者によって管理されることが好ましい。
【００４９】
「クランケＩＤ配信部」（０４０２）は、クランケＩＤを前記院内情報管理装置に配信する。
【００５０】
クランケＩＤは、クランケＩＤ配信部で生成されてもよいし、専属のオペレーター等により外部から当該クランケＩＤ配信部に入力されてもよい。前記院内情報管理装置に配信されたクランケＩＤは、当該クランケＩＤ配信部において蓄積されてもよい。このとき蓄積されるクランケＩＤと共に、それを配信した院内情報管理装置の配信先を関連付けて蓄積してもよい。
【００５１】
「コンテンツ取得部」（０４０３）は、前記院内情報管理装置に配信可能なコンテンツと、そのコンテンツを利用するに適していると考えられるクランケの病状情報である適合病状情報とを関連付けて取得する。
【００５２】
当該コンテンツ取得部は、必要に応じて取得したコンテンツの登録拒否や登録後に削除できるようにしてもよい。例えば、適合病状情報に「安楽死」等のように明らかに配信上不適切なものを含むような場合は、登録拒否できるようにしてもよい。当該コンテンツ取得部は、本システムに予めコンテンツ提供者としての登録手続きを行った者に対してのみ、コンテンツと前記適合病状情報の登録を許可するようにしてもよい。コンテンツ提供者から取得する「適合病状情報」は、例えば、クランケの年齢、性別、病名、症状等であってもよい。また、適合病状情報には予め登録されたコンテンツ提供者の送信先を関連付けてもよい。「コンテンツ提供者」は、クランケにとって有効なコンテンツの提供が可能な事業者等が該当する。例えば、製薬事業者、保険事業者、保育事業者、介護事業者等の他、広告代理店等のようなコンテンツの介在事業者も対象となる。また、コンテンツ提供者から取得したコンテンツは、当該コンテンツ取得部に蓄積されてもよい。この場合、蓄積されたコンテンツは、当該コンテンツを登録したコンテンツ提供者によって常時更新されてもよい。
【００５３】
具体的な一例を挙げると、本システムに予め登録しているα製薬会社が、自社で新たに開発した「糖尿病新薬」の詳細な情報をコンテンツとして当該コンテンツ取得部に登録する場合、「糖尿病、Ｉ型糖尿病、ＩＩ型糖尿病」をその適合病状情報として登録するというものである。
【００５４】
なお、当該情報配信装置とコンテンツ提供者の端末は、インターネット等の通信回線によって結ばれていることが好ましい。
【００５５】
「クランケ情報取得部」（０４０４）は、前記院内情報管理装置からクランケＩＤとクランケ情報とを関連付けて取得する。
【００５６】
このとき、当該クランケ情報取得部は、当該クランケＩＤを送信した院内情報管理装置の送信先と当該クランケＩＤとを関連付けて蓄積することができる。このとき、当該クランケＩＤに関連付けられたクランケ情報が蓄積されてもよい。この場合、蓄積されたクランケ情報は、当該院内情報管理装置から送信される当該クランケＩＤに関連付けられた新たなクランケ情報によって常時更新されるようにしてもよい。クランケ情報を例えばインターネットを介して取得する場合には、このクランケ情報取得部には、モデム等を含む。
【００５７】
具体的な一例を挙げると、前記甲病院の院内情報管理装置から配信されたクランケＩＤ「２７９６８４４５」と、それに関連付けられたクランケ情報「男、48歳、糖尿病」を取得し、蓄積するというものである。当該クランケ情報が院内情報管理装置において「男、49歳、糖尿病」のように更新された場合は、当該クランケＩＤに基づいて、当該クランケ情報取得部に蓄積されたクランケ情報も直ちに更新するようにしてもよい。
【００５８】
「情報比較部」（０４０５）は、コンテンツ取得部にて取得した適合病状情報と、前記クランケ情報取得部にて取得したクランケ情報とを比較する。
【００５９】
比較結果が、両者が所定の関係にあるとの判断結果である場合には、当該適合病状情報と関連付けられたコンテンツと、当該クランケ情報と関連付けられたクランケＩＤと、を関連付ける。所定の関係とは、両者の情報が完全に一致する関係、またはお互いの情報の一部が一致する関係、または一方の全情報が他方の情報の一部と一致する関係、のいずれか一の関係を言う。情報比較部は、当該両者の情報のうち一致したものに関して、クランケ情報の一部、または全部に当該クランケの提供許可がある場合には、当該提供許可のある情報のみを適合病状情報と関連付けられたコンテンツ提供者送信先と関連付けてもよい。
【００６０】
具体的な一例を挙げると、クランケＩＤ「２７９６８４４５」のクランケ情報「男、48歳、糖尿病」とコンテンツ提供者が登録した多数の適合病状情報とを比較照合したとき、前記α製薬会社の登録した適合病状情報「糖尿病、Ｉ型糖尿病、ＩＩ型糖尿病」の一部である「糖尿病」がクランケ情報と一致する。この場合、クランケＩＤ「２７９６８４４５」と、α製薬会社の登録したコンテンツ「糖尿病新薬」の詳細な情報とを関連付けるというものである。前記のように当該クランケ情報のうち「48歳」に提供許可（図４  星印）があれば、当該「48歳」についてのみα製薬会社の送信先と関連付けることができる。
【００６１】
「コンテンツ配信部」（０４０６）は、前記情報比較部での比較結果により関連付けられたコンテンツとクランケＩＤとを、前記クランケ情報を送信した院内情報管理装置に配信する。
【００６２】
当該コンテンツが情報配信装置のコンテンツ配信部から院内コンテンツ取得部に対して積極的に送信される場合には、院内情報管理装置の送信先は、前記クランケＩＤ配信部の説明で述べたように、クランケＩＤ配信部においてクランケＩＤと関連付けて蓄積された院内情報管理装置の送信先に従ってもよい。また、前記クランケ情報取得部の説明で述べたように、クランケ情報取得部において取得したクランケＩＤと関連付けて蓄積された院内情報管理装置の送信先に従ってもよい。
【００６３】
コンテンツ配信部は、院内情報管理装置に配信されたコンテンツの提供者であるコンテンツ提供者に対して、当該コンテンツがいずれかの院内情報管理装置に配信されたという事実のみを通知するようにしてもよい。
【００６４】
このとき、コンテンツ配信部は、院内情報管理装置に配信するコンテンツに関連付けられたクランケＩＤのクランケ情報の中に提供許可の情報がある場合には、当該提供許可のある情報を当該コンテンツ提供者に対して送信してもよい。
【００６５】
コンテンツを例えばインターネットを介して配信する場合には、このコンテンツ配信部には、モデム等を含む。
【００６６】
具体的な一例を挙げると、前記情報比較部でクランケＩＤ「２７９６８４４５」と関連付けられたコンテンツ「糖尿病新薬」の詳細な情報を、当該クランケＩＤを送信した甲病院の院内情報管理装置に配信するというものである。コンテンツ「糖尿病新薬」が、いずれかの院内情報管理装置にされた事実を当該コンテンツの提供者であるα製薬会社に送信してもよい。さらに、このとき前記情報比較部でクランケＩＤ「２７９６８４４５」と関連付けられていたクランケ情報「男、48歳、糖尿病」のうち、クランケの提供許可がある「48歳」という情報のみは、当該コンテンツの提供者であるα製薬会社に送信してもよいというものである。
【００６７】
「クランケ用ベッドサイド端末装置」（０２０１）は、前記院内情報管理装置から、前記コンテンツの再配信を受けるコンテンツ受信部を有する装置である。
【００６８】
例えば、パソコン等のように情報を取得し、蓄積し、処理し、配信または送信することが可能な装置が該当する。クランケは、当該クランケ用ベッドサイド端末装置から当該クランケのクランケ情報や当該クランケ情報の一部に提供許可を入力できる。また、クランケは、当該クランケ用ベッドサイド端末装置にユニークに与えられたコンテンツ配信用アドレスに基づいて院内情報管理装置から配信されたコンテンツを、当該クランケ用ベッドサイド端末装置を介して視聴することができる。
【００６９】
「コンテンツ受信部」は、前記院内情報管理装置に配信されたコンテンツの再配信を受ける。
【００７０】
<実施形態１：処理の流れ>  図５は、実施形態１での処理の流れの一例を示したものである。まず、情報配信装置のクランケＩＤ配信部からクランケＩＤを院内情報管理装置に配信する（クランケＩＤ配信ステップ  Ｓ０５０８）。次に、前記クランケＩＤ配信ステップにおいて配信されたクランケＩＤを院内情報管理装置の院内クランケＩＤ取得部にて取得する（クランケＩＤ取得ステップ  Ｓ０５０１）。続いて、クランケ用ベッドサイド端末装置またはそれ以外の院内の入力端末装置から入力されたクランケ情報を院内情報管理装置の院内クランケ情報取得部にて取得する（院内クランケ情報取得ステップ  Ｓ０５０２）。その次に、前記院内クランケ情報取得ステップで取得した前記クランケ情報とクランケＩＤ取得ステップで取得したクランケＩＤとを院内情報管理装置の院内クランケ情報蓄積管理部にて関連付けて蓄積する（クランケ情報蓄積ステップ  Ｓ０５０３）。さらに、前記クランケ情報蓄積ステップにおいてクランケＩＤと関連付けられたクランケ情報を院内情報管理装置の院内クランケ情報送信部から情報配信装置のクランケ情報取得部へ送信する（クランケ情報送信ステップ  Ｓ０５０４）。また、コンテンツ提供者から登録された適合病状情報と関連付けられたコンテンツを情報配信装置のコンテンツ取得部にて取得する（コンテンツ取得ステップ  Ｓ０５０９）。次に、前記クランケ情報送信ステップにおいてクランケＩＤと関連付けられたクランケ情報を情報配信装置のクランケ情報取得部にて取得する（クランケ情報取得ステップ  Ｓ０５１０）。続いて、前記コンテンツ取得ステップで取得した適合病状情報と前記クランケ情報取得ステップで取得したクランケ情報とを情報配信装置の情報比較部において比較し、判断する。両者の情報が所定の関係にある場合は、当該適合情報と関連付けられたコンテンツと、当該クランケ情報と関連付けられたクランケＩＤと、を関連付ける。両者の情報が所定の関係にない場合は、終了して次にステップには進まない（情報比較ステップ  Ｓ０５１１）。その次に、前記情報比較ステップにおいて関連付けられたコンテンツとクランケＩＤとを、情報配信装置のコンテンツ配信部から当該クランケＩＤを送信した院内情報管理装置の院内コンテンツ配信部へ配信する（コンテンツ配信ステップ  Ｓ０５１２）。そして、前記コンテンツ配信ステップにおいて配信されたコンテンツと関連付けられたクランケＩＤを院内情報管理装置の院内コンテンツ取得部にて取得する（院内コンテンツ取得ステップ  Ｓ０５０５）。さらに、前記院内コンテンツ取得ステップで取得したクランケＩＤに対応するコンテンツ配信用アドレスを院内アドレス保持部から取得し、当該クランケＩＤに関連付けられたコンテンツをコンテンツ配信用アドレスと関連付ける。（アドレス取得ステップ  Ｓ０５０６）。最後に、前記アドレス取得ステップにおいて取得したコンテンツ配信用アドレスに基づいて、院内コンテンツ取得ステップで取得したコンテンツをクランケ用ベッドサイド端末装置に配信する（コンテンツ配信ステップ  Ｓ０５０７）。
【００７１】
以上の処理は、計算機に実行させるためのプログラムで実行することができ、また、このプログラムを計算機によって読み取り可能な記録媒体に記録することができる（本明細書の全体を通して同様である。）。
【００７２】
<実施形態１：効果>  本実施形態は、病院およびその他の医療機関において、クランケの個人情報を保護し、第三者がクランケを特定することができない状態の下で、各クランケの病状情報に適合するコンテンツを第三者から取得するベッドサイド端末コンテンツ配信システムである。従来のベッドサイド端末からは、クランケの個人情報保護の見地からクランケの病状情報が院外の第三者に流出することはほとんどなく、この場合第三者のコンテンツ提供者がクランケの病状情報に適した有用なコンテンツをクランケに対して選別的に配信することは困難であった。しかし、本実施形態のベッドサイド端末コンテンツ配信システムにおいては、病院およびその他の医療機関は、個人情報保護法を遵守し、また院外へのクランケ情報の流出をクランケが特定できない最小限の範囲に留め、かつコンテンツ提供者にはクランケ情報が原則として流出しない。また、コンテンツ提供者は、自己の有するコンテンツに適合した病状情報をもつクランケに対して選択的にそのコンテンツを配信し、宣伝効率を高めることができる。コンテンツが病院およびその他の医療機関に配信された場合、その事実のみがコンテンツ提供者に通知されるようにすれば、コンテンツ提供者は自己のコンテンツの反応等に関するデータを得ることもできる。当該データは、病院やその他の医療機関が原則管理する院内情報管理装置を介して得られるものであることから、その信用性は極めて高く、コンテンツ提供者にとっても有用な情報となり得る。特に、クランケ情報の提供許可がある場合には、通常入手の極めて困難なクランケ情報も得ることができる。さらに、クランケは、自己の個人情報を第三者に流出することなしに、また、医師を介さずとも自己の病状情報に有用で一般非公開されていないような情報をコンテンツ提供者から得ることができるため、大変便利である。
【００７３】
<<実施形態２>>
【００７４】
<実施形態２：概要>  実施形態２について説明する。本実施形態は実施形態１の情報配信装置において、クランケＩＤを乱数に基づいて生成することを特徴とするベッドサイド端末コンテンツ配信システムである。
【００７５】
<実施形態２：構成>  本実施形態における前記情報配信装置の機能ブロック図の一例を図６に示した。「情報配信装置」（０６０１）は、「クランケＩＤ生成部」（０６０２）と、「クランケＩＤ配信部」（０６０３）と、「コンテンツ取得部」（０６０４）と、「クランケ情報取得部」（０６０５）と、「情報比較部」（０６０６）と、「コンテンツ配信部」（０６０７）と、を有する。また、前記「クランケＩＤ配信部」は、「ランダムクランケＩＤ配信手段」（０６０８）を有する。
【００７６】
情報配信装置のその他の各部、および院内情報管理装置、クランケ用ベッドサイド端末装置の構成については、実施形態１と同様である。
【００７７】
「クランケＩＤ生成部」（０６０２）は、前記クランケＩＤ生成部にて乱数に基づいて生成する。
【００７８】
「乱数」を構成する要素は、数字に限らずアルファベット等の文字を含む他、図形のパターン等も該当する。例えば、当該クランケＩＤが、数字やアルファベットの組み合わせで構成されるものであれば、その組み合わせについて、またバーコードや２次元コードのように図形で構成されたものであれば、その図形のうち変動する部分について規則性を持たせずに生成するようにしてもよい。
【００７９】
当該クランケＩＤ生成部は乱数に基づいて生成されるが、一度生成されたクランケＩＤと同じ値が二度と発生しない乱数であってもよい。
【００８０】
具体的な一例を挙げると、当該クランケＩＤを数字とアルファベットの組み合わせで構成する場合、例えば文字数のみを8文字と決めた場合、「８４９Ｄ３ＨＫ９」の次に「Ｋ４６ＢＢＫＷ２」、その次に「２７９６８４４５」を生成するように、毎回、8文字の範囲内で各文字や数字を無作為復元抽出するというものである。
【００８１】
「ランダムクランケＩＤ配信手段」（０６０８）は、前記クランケＩＤ生成部にてランダムに生成された送信可能なクランケＩＤを前記院内情報管理装置に対して配信することができる。
【００８２】
当該ランダムクランケＩＤ配信手段は、クランケＩＤ生成部にてランダムに生成されたクランケＩＤを異なる複数の院内情報管理装置に配信する。このとき、同一クランケＩＤを異なる複数の院内情報管理装置に対して重複配信しないようにする。また、ランダムに生成されたクランケＩＤを異なる複数の院内情報管理装置に対してさらにランダムに割り当てるようにしてもよい。
【００８３】
情報配信装置のその他の各部、および院内情報管理装置、クランケ用ベッドサイド端末装置の処理については、実施形態１と同様である。
【００８４】
<実施形態２：処理の流れ>  図７は、実施形態２での処理の流れの一例を示したものである。まず、情報配信装置のクランケＩＤ生成部においてクランケＩＤが乱数に基づいて生成される（クランケＩＤ生成ステップ  Ｓ０７０８）。次に、前記クランケＩＤ生成ステップにおいて生成されたクランケＩＤを、情報配信装置クランケＩＤ配信部のランダムクランケＩＤ配信手段から各院内情報管理装置に同一クランケＩＤを重複配信しないように配信する（クランケＩＤ配信ステップ  Ｓ０７０９）。これより以降は、実施形態１と同様であることから省略する。
【００８５】
<実施形態２：効果>  本実施形態は、実施形態１の情報配信装置において、クランケＩＤを乱数に基づいて生成することを特徴とするベッドサイド端末コンテンツ配信システムである。実施形態１においても、クランケＩＤはクランケに対してユニークに割り当てられるが、それ自体によってはクランケを特定できないものであったが、本実施形態のベッドサイド端末コンテンツ配信システムは、実施形態１の効果に加え、さらにクランケＩＤをランダムに生成することでクランケＩＤの規則性や特定性を喪失させることができる。これによって、クランケＩＤからのクランケの特定を一層困難にすることができる。
【００８６】
<<実施形態３>>
【００８７】
<実施形態３：概要>  実施形態３について説明する。本実施形態は、実施形態２の情報配信装置において、過去に一度配信したクランケＩＤを再配信しないようにクランケＩＤ生成部で利用中クランケＩＤの情報を保持することを特徴とする。また、利用中クランケＩＤは、更新されるクランケ情報に基づいて削除されることで、一度配信したクランケＩＤの再利用を可能とすることを特徴とするベッドサイド端末コンテンツ配信システムである。
【００８８】
<実施形態３：構成>  本実施形態における前記クランケＩＤ生成部の機能ブロック図の一例を図８に示した。「クランケＩＤ生成部」（０８０１）は、「利用中クランケＩＤ保持手段」（０８０２）と、「クランケＩＤ削除手段」（０８０３）と、を有する。
【００８９】
「利用中クランケＩＤ保持手段」（０８０２）は、すでに利用されているクランケＩＤである利用中クランケＩＤを、重複配信防止のために保持する。
【００９０】
当該利用中クランケＩＤ保持手段は、クランケＩＤ配信部から院内情報管理装置に配信した全てのクランケＩＤを利用中クランケＩＤとして記憶し、保持するようにしてもよい。
【００９１】
また、前記クランケＩＤ生成部で生成された新規クランケＩＤは、当該利用中クランケＩＤ保持手段に保持された利用中クランケＩＤと比較照合される。そして、当該比較照合の結果、一致するものがないときは、院内情報管理装置に配信可能なクランケＩＤとしてクランケＩＤ配信部に送信される。逆に当該比較照合の結果、一致する場合は、当該新たに生成されたクランケＩＤをクランケＩＤ配信部に送信しないようにしてもよい。
【００９２】
「クランケＩＤ削除手段」（０８０３）は、前記クランケＩＤに関連付けられたクランケ情報に基づいて、前記利用中クランケＩＤ保持手段から、クランケＩＤを削除する。
【００９３】
前記クランケ情報取得部にて随時取得されるクランケ情報の基づいて、当該クランケ情報が更新される。更新クランケ情報から当該クランケＩＤを利用していたクランケが当該ベッドサイド端末コンテンツ配信システムを利用する必要がなくなった情報を取得した場合には、当該クランケＩＤは前記利用中クランケＩＤ保持手段から削除される。例えば、クランケ情報から「退院」「死亡」「転院」等の特定のキーワードを検索し、当該キーワードが含まれている場合に、当該クランケ情報と関連付けられているクランケＩＤを前記利用中クランケＩＤ保持手段から削除するようにしてもよい。
【００９４】
具体的な一例を挙げて説明すると、クランケＩＤ生成部で乱数に基づいて、新規に生成されたクランケＩＤ「８４９Ｄ３ＨＫ９」、「Ｋ４６ＢＢＫＷ２」、「２７９６８４４５」は、利用中クランケＩＤ保持手段で利用中クランケＩＤと比較照合される。その結果、現在利用中のクランケＩＤのいずれとも一致しない「８４９Ｄ３ＨＫ９」と「Ｋ４６ＢＢＫＷ２」は、送信可能なクランケＩＤとしてクランケＩＤ配信部に送信される。一方、利用中のクランケである「２７９６８４４５」と一致した新規生成クランケＩＤ「２７９６８４４５」は、クランケＩＤ配信部には送信されないというものである。
【００９５】
また、利用中クランケＩＤ保持手段から削除された当該クランケＩＤは、新たなクランケに対して配信するために再利用されてもよい。
【００９６】
具体的な一例を挙げて説明すると、本システムを利用していたクランケのクランケＩＤが「８Ｌ７ＧＨ２４８」であり、入院当初のクランケ情報は「女、24歳、初産」であったが、1週間後に退院によって当該クランケ情報が「女、24歳、退院につき抹消」に更新された場合、当該クランケＩＤ削除手段は、クランケＩＤ「８Ｌ７ＧＨ２４８」の本システムの利用者がいなくなったことを認識し、前記利用中クランケＩＤ保持手段からクランケＩＤ「８Ｌ７ＧＨ２４８」を削除するというものである。
【００９７】
その他の情報配信装置各部、および院内情報管理装置、クランケ用ベッドサイド端末装置の処理については、実施形態１、および２と同様である。
【００９８】
<実施形態３：処理の流れ>  図９は、実施形態３での処理の流れの一例を示したものである。まず、各院内情報管理装置の院内クランケ情報送信部からクランケＩＤと関連付けられたクランケ情報（ここでは主に更新されたクランケ情報）を情報配信装置のクランケ情報取得部に送信する（クランケ情報送信ステップ  Ｓ０９０４）。次に、前記クランケ情報送信ステップにおいてクランケＩＤと関連付けられたクランケ情報を情報配信装置のクランケ情報取得部にて取得する（クランケ情報取得ステップ  Ｓ０９０８）。続いて、前記クランケ情報取得ステップで取得したクランケＩＤと関連付けられたクランケ情報に基づいて、クランケＩＤを情報配信装置におけるクランケＩＤ生成部の利用中クランケＩＤ保持手段から削除する（クランケＩＤ削除ステップ  Ｓ０９０９）。その次に、情報配信装置のクランケＩＤ生成部においてクランケＩＤが乱数に基づいて生成される（クランケＩＤ生成ステップ  Ｓ０９１０）。
さらに、前記クランケＩＤ生成ステップにおいて新規生成されたクランケＩＤが、当該利用中クランケＩＤ保持手段に保持された利用中クランケＩＤと利用中クランケＩＤ保持手段にて比較し、判断する。当該比較照合の結果、一致するものがないときは、院内情報管理装置に配信可能なクランケＩＤとしてクランケＩＤ配信部に送信される。逆に当該比較照合の結果、一致する場合は、当該新たに生成されたクランケＩＤをクランケＩＤ配信部に送信しないように終了して次にステップには進まない（ＩＤ比較ステップ  Ｓ０９１１）。
これより以降は、実施形態１、および２と同様であることから省略する。
【００９９】
<実施形態３：効果>  本実施形態は、実施形態２の情報配信装置において、クランケＩＤを重複配信しないようにクランケＩＤ生成部で利用中クランケＩＤの情報を保持し、また、常時更新されるクランケ情報に基づいて保持した利用中クランケＩＤを削除することで、クランケＩＤの再利用を可能とすることを特徴とするベッドサイド端末コンテンツ配信システムである。本実施形態では、情報配信装置で新たに生成されるクランケＩＤと、現在すでに利用されているクランケＩＤの情報とを比較確認することで、重複配信を未然に防止できる。また、常時更新されるクランケ情報により利用の必要性がなくなったクランケＩＤは、利用中クランケＩＤ保持手段から削除されることで、再びクランケＩＤを利用可能な状態にすることができる。このような再利用クランケＩＤがクランケＩＤ配信部から配信されることで、クランケＩＤから当該クランケＩＤが割り当てられたクランケを特定することが、より一層困難にすることができるので便利である。
【産業上の利用可能性】
【０１００】
クランケは、ベッドサイド端末から自己の個人情報を保護した状態で、自己の病状情報に適した有用なコンテンツを直接入手できる。
【０１０１】
コンテンツ提供者は、自己のコンテンツの反応等に関する信用性の高いデータを得ることができる。そのデータにより新たな商品の開発に繋がる。
【０１０２】
ベッドサイド端末がより有効に活用されることから、医療機関におけるベッドサイド端末の普及の一助となる。
【図面の簡単な説明】
【０１０３】
【図１】実施形態１を説明するための概念図
【図２】実施形態１のベッドサイド端末コンテンツ配信システムを説明するための機能ブロック図
【図３】実施形態１の院内情報管理装置を説明するための機能ブロック図
【図４】実施形態１の情報配信装置を説明するための機能ブロック図
【図５】実施形態１の処理の流れを説明する図
【図６】実施形態２の情報配信装置を説明するための機能ブロック図
【図７】実施形態２の処理の流れを説明する図
【図８】実施形態３のクランケＩＤ生成部を説明するための機能ブロック図
【図９】実施形態３の処理の流れを説明する図
【符号の説明】
【０１０４】
Ａ  クランケ用ベッドサイド端末装置以外の院内の入力端末装置
Ｂ  コンテンツ提供者
Ｃ  クランケ用ベッドサイド端末装置
Ｄ  情報配信装置
Ｅ  院内情報管理装置
Ｆ  クランケ情報取得部
Ｇ  クランケＩＤ配信部
星印  提供許可
【図１】
2006202160.tif 000003
【図２】
2006202160.tif 000004
【図３】
2006202160.tif 000005
【図４】
2006202160.tif 000006
【図５】
2006202160.tif 000007
【図６】
2006202160.tif 000008
【図７】
2006202160.tif 000009
【図８】
2006202160.tif 000010
【図９】
2006202160.tif 000011